(57)【特許請求の範囲】
【請求項１】
三次元の血管ツリー撮影のためのカテーテルナビゲーション装置を制御装置が制御する方法であって、
カテーテル位置が求められ、このカテーテル位置が、侵襲前に撮影されナビゲーションコンピュータで再構成された血管ツリーの３Ｄ像のなかに挿入され、また侵襲前に、患者の身体に付けられカテーテルにより位置を検出される複数個のマーカーを用いて、３Ｄ像座標系上に３Ｄ患者座標系が位置合わせされて写像されるカテーテルナビゲーション方法において、
３ＤアンギオグラフィのためにＣアームタイプＸ線装置を使用する際に、マーカーが、３Ｄアンギオ像を計算する少なくとも２つの投影像で検出され、血管ツリーの３Ｄボリュームセットを再構成するために求められそのつどの２Ｄ投影像に対して計算された投影マトリックスを用いて、ナビゲーションコンピュータのなかの写像された対象物上に逆投影され、マーカー座標に関係付けて患者座標系にもたらされる
ことを特徴とするカテーテルナビゲーション方法。
【請求項２】
カテーテル位置がその先端に組み込まれている超小形の位置検出システムを用いて求められることを特徴とする請求項１記載の方法。
【請求項３】
マーカー位置が３Ｄ像のなかで目指され、またマーカーとカテーテル先端との接触により求められた位置に関係付けて患者座標系にもたらされることを特徴とする請求項１または２記載の方法。
【請求項４】
マーカーの重心点がそれぞれ使用される２Ｄ投影像の投影円錐の交叉ボリュームの重心点として３Ｄ座標としてそれぞれ求められることを特徴とする請求項１ないし３の１つに記載の方法。
【請求項５】
２Ｄ投影像で同定されたマーカーの逆投影の前にそのマーカーの重心点が２Ｄ像のなかで検出されまた逆投影されることを特徴とする請求項１ないし４の１つに記載の方法。
【請求項６】
マーカーの同定が相互作用的に行われることを特徴とする請求項１ないし５の１つに記載の方法。
【請求項７】
マーカーの同定が自動的に行われることを特徴とする請求項１ないし５の１つに記載の方法。
【請求項８】
血管ツリーの３Ｄ可視化が３Ｄ面表示で行われ、カテーテル先端がセグメント化および後続のサーフェイスレンダリングまたはボリュームレンダリングによって発生される血管ツリーの三次元像のなかに挿入されることを特徴とする請求項１ないし７の１つに記載の方法。
【請求項９】
カテーテル先端がＭＩＰ表示のなかに挿入されるように、血管ツリーの３Ｄ可視化が、カテーテル先端の現在位置が最も近い画素に写像されるＭＩＰで行われることを特徴とする請求項１ないし７の１つに記載の方法。
【請求項１０】
カテーテル先端の視点からのフライスルーによる可視化が使用されることを特徴とする請求項１ないし７の１つに記載の方法。
【請求項１１】
侵襲中に追加的な位置合わせ更新が実行されることを特徴とする請求項１ないし１０の１つに記載の方法。
【請求項１２】
グローバルな位置合わせ更新がすべての３Ｄ血管ツリーの新たな位置合わせにより実行されることを特徴とする請求項１１記載の方法。
【請求項１３】
ローカルな位置合わせ更新が３Ｄ血管ツリーの部分の歪みのもとにカテーテルによる血管の変位および変形に相応して実行されることを特徴とする請求項１１記載の方法。
【請求項１４】
請求項１ないし１３の１つによる方法を実行するための装置において、患者のすぐ近くに配置される送信コイルと、神経カテーテルの先端に組み込まれた受信器と、患者に取付けられるマーカーと、侵襲前に求められた患者の撮影像から三次元の血管ツリーを再構成するためのナビゲーションコンピュータと、患者座標系を３Ｄ像座標系上に写像するための位置合わせ装置とを有する位置検出システムを含んでいることを特徴とするカテーテルナビゲーション装置。
【請求項１５】
送信コイルが患者に取付けられていることを特徴とする請求項１４記載の装置。
【請求項１６】
１つまたは複数の受信器コイルが患者に取付けられていることを特徴とする請求項１４記載の装置。
【請求項１７】
マーカーが相い異なって構成されていることを特徴とする請求項１４または１６記載の装置。
【請求項１８】
ナビゲーションコンピュータが３Ｄ面表示のなかの血管ツリーに対する可視化装置を有することを特徴とする請求項１４ないし１７の１つに記載の装置。
【請求項１９】
ナビゲーションコンピュータがフライスルーによる可視化装置を有することを特徴とする請求項１４ないし１７の１つに記載の装置。
【請求項２０】
ナビゲーションコンピュータがＭＩＰ表示を備えた可視化装置を有することを特徴とする請求項１４ないし１７の１つに記載の装置。
【請求項２１】
血管ツリーに対する３Ｄデータレコードを作成するためＣＴアンギオグラフィ装置が用いられることを特徴とする請求項１４ないし２０の１つに記載の装置。
【請求項２２】
血管ツリーに対する３Ｄデータレコードを作成するためＭＲアンギオグラフィ装置が用いられることを特徴とする請求項１４ないし２０の１つに記載の装置。
【請求項２３】
相い異なる方向からの２Ｄ投影像を作成し、計算された投影マトリックスを介して２Ｄ投影像から血管ツリーに対する３Ｄデータレコードを作成するために、ＣアームタイプＸ線装置を有する３Ｄアンギオグラフィ装置が用いられることを特徴とする請求項１４ないし２０の１つに記載の装置。
【請求項２４】
侵襲前の３Ｄデータレコードを作成するためのコンピュータが同時にナビゲーションコンピュータを成していることを特徴とする請求項２１ないし２３の１つに記載の装置。
【発明の詳細な説明】
【０００１】
【発明の属する技術分野】
本発明は、特に頭蓋内の三次元の血管ツリー撮影のためのカテーテルナビゲーション装置を制御装置が制御する方法であって、カテーテル位置が求められ、このカテーテル位置が、侵襲前（つまり手術の開始前）に撮影されナビゲーションコンピュータで再構成された血管ツリーの３Ｄ（三次元）像のなかに挿入され、また侵襲（インターベンション）前に、患者の身体に付けられカテーテルにより位置を検出される複数個のマーカーを用いて、３Ｄ像座標系上に３Ｄ患者座標系が位置合わせ（レジストレーション）されて写像されるカテーテルナビゲーション方法に関する。
【０００２】
【従来の技術】
血管疾患、特に頭蓋内の血管疾患の治療はしばしば、大腿動脈に導入され血管を通じて障害の場所に導かれるカテーテルを用いて行われる。この処置は連続的にパルス化される（しばしばバイプランシステムを有する）２Ｄ（二次元）Ｘ線透視のもとに、また造影剤注入のもとに実行される。その際、神経放射線科医にとって、撮影された２Ｄ透視像を実際の血管ツリーの複雑な三次元の形態と合致させることはしばしば非常に困難である。この公知の方法の別の欠点は、侵襲中に連続的に実行すべき透視が医師および患者に対する放射線負荷を生ずること、また、カテーテル治療中にも存在しなければならずそれゆえ絶えず追加注入されなければならない造影剤が毒性作用を有することにある。
【０００３】
血管ツリーの三次元の写像は現在、たとえば磁気共鳴アンギオグラフィ（ＭＲＡ）、コンピュータトモグラフィアンギオグラフィ（ＣＴＡ）および３Ｄアンギオグラフィのような種々の撮像方式により発生され得る。この３Ｄアンギオグラフィの際には、一般にＣアームタイプＸ線装置を用いて得られ手術前または手術中に種々の角度から撮影された多く（約５０）の２ＤＸ線投影像から、血管ツリーの３Ｄボリュームが再構成され可視化される。３Ｄ撮影技術により神経放射線科医は血管ツリーの３Ｄ像を得るが、侵襲中のこの３Ｄ血管ツリー内のカテーテルの現在位置に関する直接的な知識は得られない。それどころか神経放射線科医は、カテーテルが写像されていない手術前に撮影かつ再構成された３Ｄ血管ツリー上へ、カテーテルが一緒に撮影されている手術中の２Ｄ透視像の観念的な写像を行わなければならず、このことは複雑な血管ツリー構造の際には厄介で時間のかかることである。
【０００４】
基本的に位置検出システムを介してそのそのつどの位置で検出可能なカテーテルを再構成された三次元の血管ツリー撮影のなかに挿入することは同じく既に提案されているが、３Ｄ像座標系上への３Ｄ患者座標系の写像は著しく困難である。
【０００５】
米国特許第５８５１１８３号明細書から、ゾンデの先端が位置検出システムにより検出され、また同時に撮影されたＸ線像と一緒に像のなかに表示される方法は公知である。しかしその際に大事なことは、得られた断層像からまさに、ゾンデ先端がまさに位置する断層が（もちろんゾンデの先端と共に）写像されることである。しかしこのことは、この挿入を手がかりにして、カテーテルが血路の分岐などから所望の個所に導かれるようにカテーテルを案内し、三次元像のなかにカテーテル先端を挿入することとは若干完全に異なる。さらにこの米国特許第５８５１１８３号明細書による方法では、検査中に絶えずＸ線照射が必要とされ、このことは患者にとって著しいＸ線負荷となり、可能なかぎり避けられなければならない。
【０００６】
【発明が解決しようとする課題】
従って本発明の課題は、侵襲中の医師および患者に対する放射負荷も侵襲中の造影剤注入も減ぜられ、現在のカテーテル位置が血管ツリーの三次元像のなかに表示されるカテーテルナビゲーション方法およびその実施に適した装置を提供することである。
【０００７】
【課題を解決するための手段】
この課題は冒頭に記載されている種類の方法において、本発明によれば、３ＤアンギオグラフィのためにＣアームタイプＸ線装置を使用する際に、マーカーが、３Ｄアンギオ像を計算する少なくとも２つの投影像で検出され、血管ツリーの３Ｄボリュームセットを再構成するために求められそのつどの２Ｄ投影像に対して計算された投影マトリックスを用いて、ナビゲーションコンピュータのなかの写像された対象物上に逆投影され、マーカー座標に関係付けて患者座標系にもたらされることにより解決される。
【０００８】
本発明はその際に、冒頭にあげた種類の方法においてこれまで存在した問題を３Ｄアンギオグラフィの際の位置合わせ（レジストレーション）により、すなわち２Ｄ撮影で写像されるマーカーが３Ｄ像のなかに頭部およびあらたな作成可能なセクションの大きさのゆえに一緒に現れないならば、回避する。その際に、最も簡単には、２Ｄ投影像のなかで同定されたマーカーの逆投影の前にその重心点が２Ｄ像のなかで検出され、またこの点のみが逆投影されるように、マーカーの重心点が使用される２Ｄ投影像の投影円錐のそれぞれの交叉ボリュームの重心点として３Ｄ座標としてそれぞれ求められる。
【０００９】
本発明による方法により侵襲中に、また完全に手術中の透視撮影なしに、また手術中の造影剤注入なしに３Ｄ血管ツリー内のカテーテルのナビゲーションが可能になる。
【００１０】
位置合わせをするためには、マーカーが３Ｄ像のなかで可視であれば、たとえばマウスを用いて、それぞれマーカー位置が３Ｄ像のなかで目指され、またマーカーとカテーテル先端との接触により求められた位置に関係付けて患者座標系にもたらされる。問題なくこれは、たとえばすべての頭部がその外側に取付けられているマーカーにより問題なく３Ｄ像として作成され得るＣＴＡの際およびＭＲＡの際に可能である。磁気共鳴アンギオグラフィ（ＭＲＡ）はその際に、そもそも血管ツリーに対する手術前の像データレコードを取得するために患者に対する放射負荷が生じないという追加的な利点をも有する。
【００１１】
マーカーの同定はその際に相互作用的または自動的に行われ得る。その際に特に自動的な同定のために、マーカーはすべて相い異なって構成され、こうしてそれらの相い異なる形状および（または）大きさにより像のなかで容易にまた自動化可能に区別され得る。相互作用的な同定の際、マーカーは患者座標系でも像座標系でも（またここで再びｎ個の投影図の各々のなかで）同一の順序で同定されるように注意しなければならない。
【００１２】
カテーテル先端を挿入し位置検出システムを介して求められたそのつどのカテーテル先端の位置およびその像座標系への換算に相応する血管ツリーの可視化は３Ｄ面表示で行われ得る。その際にカテーテル先端はセグメント化および後続のサーフェイスレンダリングまたはボリュームレンダリングによって発生される血管ツリーの三次元像のなかに挿入される。
【００１３】
血管ツリーの３Ｄ可視化は、カテーテル先端がＭＩＰ表示のなかに挿入され得るように、カテーテル先端の現在位置が最も近い画素に写像されるＭＩＰ（Ｍａｘｉｍｕｍ  Ｉｎｔｅｎｓｉｔｙ  Ｐｒｏｊｅｃｔｉｏｎｓ）でも行われ得る。
【００１４】
血管分岐におけるカテーテルの特に簡単な操作を可能にするカテーテル先端の視点からのフライスルーによる可視化はカテーテルのナビゲーションの際に神経放射線科医にとって特に望ましくまた有益である。
【００１５】
侵襲中、血管ツリー内に挿入されたカテーテルが写像された血管内に位置しているかどうかが連続的にコントロールされる。このことが、たとえば患者が固定にもかかわらず多少動いたために、侵襲中にもはや保証されていない場合、位置合わせ更新が実行されなければならない。侵襲前の位置合わせに相応するすべての３Ｄ血管ツリー全体の新位置合わせを有するグローバルな位置合わせ更新の他に、ローカルな位置合わせ更新も３Ｄ血管ツリーの部分の歪み（Ｄｅｆｏｒｍａｂｌｅ  Ｍａｔｃｈｉｎｇ  Ｒｅｇｉｓｔｒａｔｉｏｎ）のもとにカテーテルによる血管の変位および変形に相応して実行される。位置検出システムの通常位置不変の送信器に対して患者位置の変化が生じているときに、または現在存在している位置合わせが十分に正確でないことが判明するときにとりわけ役に立つグローバルな位置合わせ更新は、患者の頭部に取付けられたマーカーいわゆる“フィデュシァルマーカー”を用いて実行されるが、ローカルな位置合わせ更新は、３Ｄ血管ツリー自体で同定すべき自動的なランドマークを用いて実行されなければならない。
【００１６】
この本発明による方法を実施するのに適した装置は、患者のすぐ近くに配置される送信コイルと、神経カテーテルの先端に組み込まれた受信器と、患者に取付けられるマーカーと、手術前に求められた患者の撮影像から三次元の血管ツリーを再構成するためのナビゲーションコンピュータと、患者座標系を３Ｄ像座標系上に写像するための位置合わせ装置とを有する位置検出システムを含んでいることを特徴とする。
【００１７】
通常は位置検出システムの送信コイルは患者の身体の外側の空間内のどこかに配置されているが、特別な場合には、送信コイルを直接に患者に取付けることも有効である。これは、侵襲中に場合によっては生じる姿勢変化が、この姿勢変化によりカテーテル先端の測定される位置が変化しないので、位置合わせ更新を必要としないという利点を有する。侵襲中に場合によっては生じる姿勢変化を検出し得る別の可能性は、１つまたは複数の受信器‐コイルを固定的に患者に取付け、その位置を連続的に検出することである。こうして、カテーテルのなかに組み込まれた受信器‐コイルの位置を患者の運動の後にも正しく手術前または手術中に求められた患者の撮影像のなかに挿入することが可能である。
【００１８】
マーカーは特に自動的な同定のために相い異なって構成されていてよく、場合によっては造影剤で満たされていてもよい。カテーテル先端を挿入するために血管ツリー用の可視化装置を備えているナビゲーションコンピュータは別個のコンピュータであってよく、または直接的に手術前の３Ｄ像データレコードの作成のために使用されるコンピュータであってもよい。
【００１９】
【発明の実施の形態】
本発明の他の利点、特徴および詳細は３Ｄアンギオグラフィの際の位置合わせの以下の説明から明らかになる。
【００２０】
図１で参照符号１を付して概要を示されているのは患者の頭部であり、その外側に４つのマーカー２〜５が取付けられている。これらのマーカーは概要を示されている２Ｄ投影像６のなかでマーカー像位置２′〜５′に写像されている。円７はＣアームタイプＸ線装置のＸ線管および検出器が運動する理想的な軌道を示し、管焦点８の他にＸ線管の一連の別の位置が十字印により円７の上に示されており、これらの位置から２Ｄ投影像の撮影が行われなければならない。
【００２１】
図２には、３Ｄ像座標系のなかのマーカー座標が、２つの２Ｄ投影像６′、６″のなかへのマーカー投影を手がかりにしてそれぞれ管焦点位置８′、８″を有するＸ線検出器位置に相応してどのように求められ得るかが示されている。矢印９、１０により示されている、異なる２Ｄ投影像６′、６″のなかのマーカー３のマーカー位置像３′、３″は投影像固有の投影マトリックスを用いて逆投影され、両方の投影円錐の交叉ボリュームが３Ｄ像のなかのマーカーの位置を生ずる。
【００２２】
図３には、マーカーの代わりにそれらの重心点Ｓ３′、Ｓ３″のみが逆投影される場合が示されている。
【００２３】
図４には最後に、異なる形状のマーカー２、３、４、５の使用により、これらの異なる形状によりマーカーの各々が自動的な同定のために利用される他のマーカー位置像２′〜５′を供給することによって、同定、従って位置合わせが自動的に行われる前提条件がどのように作られているかの概要が示されている。
【００２４】
その際に本発明は示された実施例に限定されない。多くのまた他の形状のマーカーも使用され得る。またもちろん、マーカーが３Ｄ像のなかで可視であれば、マーカー位置の三次元の座標を求めるための２Ｄ投影像からのマーカー位置の逆投影は必要でない。しかしこれは３Ｄアンギオグラフィの使用の際にはたいていの場合に該当しない。
【図面の簡単な説明】
【図１】４つのマーカーを取付けられた測定対象物の概要と、２Ｄ投影撮影の際のマーカーの投影円錐の経過を示す図。
【図２】２つの２Ｄ投影像のなかのマーカー投影を用いて３Ｄ像座標系のなかのマーカーを求める過程を示す図。
【図３】マーカーの代わりにそれらの重心点が逆投影される際の図２に相応する図。
【図４】自動的な同定および自動的な位置合わせのために種々の形状のマーカーを使用する際の概要図。
【符号の説明】
１    患者の頭部
２    マーカー
２′  マーカー像位置
３    マーカー
３′  マーカー像位置
３″  マーカー像位置
４    マーカー
４′  マーカー像位置
５    マーカー
５′  マーカー像位置
６    ２Ｄ投影図
６′  ２Ｄ投影図
６″  ２Ｄ投影図
７    円
８    Ｘ線焦点
８′  Ｘ線焦点位置
８″  Ｘ線焦点位置
９    矢印
１０  矢印
Ｓ３′重心点
Ｓ３″重心点
【図１】
0004514283.tif 000002
【図２】
0004514283.tif 000003
【図３】
0004514283.tif 000004
【図４】
0004514283.tif 000005